(57)【要約】【課題】電動ロールスクリーンの設置形態に拘わらず、リモコン操作が可能で利便性を有効に高め得るブラインド用電動ロールスクリーンのリモコン受光構造を提供する。【解決手段】建屋の窓の上縁に沿って巻き取りパイプ１が配置され、この巻き取りパイプの両端はそれぞれサイドブラケット２Ｒにより回転自在に支持されており、巻き取りパイプに、下端にウエイトバーを取り付けたスクリーンの上端が固定され、上記巻き取りパイプをモータ５により正逆方向に回転させて上記スクリーンの巻き上げ又は巻き下げを行う。上記一方のサイドブラケットに、リモコンから発射されるパルス信号を受光する受光部２７を取り付け、この受光部を、受光方向が鉛直下方を挟んで対称でかつ位相の互いに異なる２方向に変更可能に設ける。【選択図】図２
2008150901.tif 000002
【特許請求の範囲】
【請求項１】
建屋の窓の上縁に沿って巻き取りパイプが配置され、この巻き取りパイプの両端はそれぞれサイドブラケットにより回転自在に支持されており、巻き取りパイプには、下端にウエイトバーを取り付けたスクリーンの上端が固定され、上記巻き取りパイプをモータにより正逆方向に回転させて上記スクリーンの巻き上げ又は巻き下げを行うように構成されたブラインド用電動ロールスクリーンにおいて、
上記一方のサイドブラケットにはリモコンから発射されるパルス信号を受光する受光部が取り付けられており、この受光部は、受光方向が鉛直下方を挟んで対称でかつ位相の互いに異なる２方向に変更可能に設けられていることを特徴とするブラインド用電動ロールスクリーンのリモコン受光構造。
【請求項２】
上記モータは、巻き取りパイプ内に配置され、かつリミットケースを介して上記一方のサイドブラケットに支持されており、上記リミットケースの外周面には巻き取りパイプの一端が回転可能に支持されている請求項１記載のブラインド用電動ロールスクリーンのリモコン受光構造。
【請求項３】
上記サイドブラケットの外側面には、下端に透明な円弧状の受光面を有するブラケットカバーが取り付けられ、このブラケットカバーには、上記受光部を保持する受光部ホルダが円弧状受光面の中心点を回動中心として回動可能に装着されており、上記受光部は、ブラケットカバーの円弧状受光面を通してリモコンからのパルス信号を受光するようになっている請求項２記載のブラインド用電動ロールスクリーンのリモコン受光構造。
【請求項４】
上記受光部ホルダは、その一端面がブラケットカバーに設けた嵌合孔を通して外部に臨むように設けられており、この受光部ホルダの一端面には受光部ホルダを回動操作するための操作溝が設けられている請求項３記載のブラインド用電動ロールスクリーンのリモコン受光構造。
【請求項５】
上記ブラケットカバーの内面には嵌合孔を挟んだ２個所にそれぞれ突起部が形成されている一方、上記受光部ホルダには、上記各突起部に対応して、２つの挟持部が形成されており、この各挟持部は、可撓性を有する第１の挟持片と、可撓性のない第２の挟持片とからなり、受光部ホルダを回動操作して受光部の受光方向を変更するとき、一方の挟持部で始めに第１の挟持片がブラケットカバーの対応する突起部に接触して撓んで突起部の相対回動変位を許容し、次に第２の挟持片がこの突起部に接触して突起部の相対回動変位を規制すると同時に、第１の挟持片と第２の挟持片とにより突起部を挟持して受光部の受光方向を保持するように構成されている請求項４記載のブラインド用電動ロールスクリーンのリモコン受光構造。
【発明の詳細な説明】
【技術分野】
【０００１】
本発明は、建屋の窓に設置されるブラインド用電動ロールスクリーンのリモコン受光構造に関する。
【背景技術】
【０００２】
従来、この種のブラインド用電動ロールスクリーンとして、例えば特許文献１に開示されているように、建屋の窓の上縁に沿って巻き取りパイプを配置し、この巻き取りパイプの両端をそれぞれサイドブラケット（サイドプレートともいう）により回転自在に支持するとともに、巻き取りパイプに窓ブラインドとしてのスクリーンの上端を固定し、このスクリーンの下端にウエイトバーを取り付け、上記巻き取りパイプをモータにより正逆方向に回転させて上記スクリーンの巻き上げ又は巻き下げを行うように構成したものは知られている。この場合、モータは、巻き取りパイプ内に配置されるものと、巻き取りパイプ外の、例えば一方のサイドブラケットに取り付けられるものとがある。
【０００３】
また、このような電動ロールスクリーンにおいては、リモコンにより遠隔操作ができるようにすることがある。この場合、リモコンから発射されるパルス信号を受光する受光部を取り付ける必要があるが、その取付方式としては、受光部を、サイドブラケット又は取付フレームに組み込んで取り付ける内付け方式と、サイドブラケット及び取付フレームと離れて建屋の壁面などに個別に取り付ける外付け方式とがある。
【特許文献１】特開平１０−４６９６４号公報
【発明の開示】
【発明が解決しようとする課題】
【０００４】
ところが、上記従来の取付方式のうち、内付け方式の場合、受光部の向きによってリモコンによる遠隔操作ができないことがある。例えば、受光部をサイドブラケットの側端面に取り付けた場合、受光部が室内側に向いた状態で電動ロールスクリーンを設置すれば問題はないが、室内のレイアウトなどとの関係で受光部が壁面側に向いた状態で設置するとリモコンによる遠隔操作ができなくなる。また、受光部をサイドブラケットの下端面に取り付けた場合、電動ロールスクリーンの設置場所である室内の窓から離れた場所からはリモコン操作ができなくなるという問題がある。
【０００５】
一方、外付け方式の場合、受光部の取付及び受光部と取付フレームなどに組み付けられる制御盤との間の配線などの作業を必要とし、設置作業に手間と時間が多くかかるとともに、上記配線により見栄えが悪くなるという問題がある。
【０００６】
本発明はかかる諸点に鑑みてなされたものであり、その課題とするところは、特に、受光部をサイドブラケットに取り付ける内付け方式において、受光部の取付構造を改良することにより、電動ロールスクリーンの設置形態に拘わらず、リモコン操作が可能で利便性を有効に高め得るブラインド用電動ロールスクリーンのリモコン受光構造を提供せんとするものである。
【課題を解決するための手段】
【０００７】
上記の課題を解決するため、請求項１に係る発明は、ブラインド用電動ロールスクリーンとして、建屋の窓の上縁に沿って巻き取りパイプが配置され、この巻き取りパイプの両端はそれぞれサイドブラケットにより回転自在に支持されており、巻き取りパイプには、下端にウエイトバーを取り付けたスクリーンの上端が固定され、上記巻き取りパイプをモータにより正逆方向に回転させて上記スクリーンの巻き上げ又は巻き下げを行うように構成されてなることを前提とする。そして、上記一方のサイドブラケットに、リモコンから発射されるパルス信号を受光する受光部を取り付け、この受光部を、受光方向が鉛直下方を挟んで対称でかつ位相の互いに異なる２方向に変更可能に設ける構成にする。
【０００８】
この構成では、室内のレイアウトなどとの関係で電動ロールスクリーンを通常の状態と左右反対に設置する場合でも、受光部の向きである受光方向を変更して通常の状態と同様に室内側に向けることができ、電動ロールスクリーンの設置形態に拘わらず、また室内の離れた位置からもリモコンによる遠隔操作を行うことができる。しかも、受光部の受光方向は、２方向にのみ変更可能なものであるため、その変更可能にするための構成をも比較的簡単なものとすることができる。
【０００９】
請求項２に係る発明は、請求項１記載のブラインド用電動ロールスクリーンのリモコン受光構造において、上記モータを、巻き取りパイプ内に配置し、かつリミットケースを介して上記一方のサイドブラケットに支持させ、上記リミットケースの外周面に巻き取りパイプの一端を回転可能に支持させる構成にする。この構成では、モータが巻き取りパイプ内に配置され、かつリミットケースを介してサイドブラケットに支持されているため、モータをサイドブラケットに取り付けるものと比べてサイドブラケットの厚みを小さくすることができる。
【００１０】
請求項３に係る発明は、請求項２記載のブラインド用電動ロールスクリーンのリモコン受光構造において、上記サイドブラケットの外側面に、下端に透明な円弧状の受光面を有するブラケットカバーを取り付け、このブラケットカバーに、上記受光部を保持する受光部ホルダを円弧状受光面の中心点を回動中心として回動可能に装着し、上記受光部が、ブラケットカバーの円弧状受光面を通してリモコンからのパルス信号を受光するように構成する。この構成では、サイドブラケットの外側面に取り付けたブラケットカバーに受光部ホルダが回動可能に装着され、この受光部ホルダに保持された受光部が、その受光方向の変更に拘わらず、常にブラケットカバー下端の透明な円弧状受光面を通してリモコンからのパルス信号を受光するようになっているため、受光部をブラケットカバーによって保護することができ、また、受光部の受光方向の変更により受光感度が変化することはない。
【００１１】
請求項４に係る発明は、請求項３記載のブラインド用電動ロールスクリーンのリモコン受光構造において、上記受光部ホルダを、その一端面がブラケットカバーに設けた嵌合孔を通して外部に臨むように設け、この受光部ホルダの一端面に受光部ホルダを回動操作するための操作溝を設ける構成にする。この構成では、ブラケットカバーの嵌合孔を通して外部に臨む受光部ホルダの一側面に設けた嵌合溝に対し、例えばドライバーなどを挿入して回動操作することにより、受光部の受光方向を容易に変更することができる。
【００１２】
請求項５に係る発明は、請求項４記載のブラインド用電動ロールスクリーンのリモコン受光構造において、上記ブラケットカバーの内面の、嵌合孔を挟んだ２個所にそれぞれ突起部を形成する一方、上記受光部ホルダに、上記各突起部に対応して、２つの挟持部を形成し、この各挟持部を、可撓性を有する第１の挟持片と、可撓性のない第２の挟持片とによって構成する。そして、受光部ホルダを回動操作して受光部の受光方向を変更するとき、一方の挟持部で始めに第１の挟持片がブラケットカバーの対応する突起部に接触して撓んで突起部の相対回動変位を許容し、次に第２の挟持片がこの突起部に接触して突起部の相対回動変位を規制すると同時に、第１の挟持片と第２の挟持片とにより突起部を挟持して受光部の受光方向を保持するように構成する。この構成では、ブラケットカバーの嵌合孔に嵌合装着された受光部ホルダを回動操作して受光部の受光方向を変更するときには、受光部ホルダ側の挟持部の第１の挟持片と第２の挟持片とでブラケットカバー側の突起部が挟持されて受光部の受光方向が保持されるため、受光部の受光方向の変更操作を容易にかつ確実に行うことができることになる。
【発明の効果】
【００１３】
以上のように、本発明におけるブラインド用電動ロールスクリーンのリモコン受光構造によれば、サイドブラケットに取り付けた受光部の受光方向が鉛直下方を挟んで対称でかつ位相の互いに異なる２方向に変更可能になっているため、電動ロールスクリーンの設置形態に拘わらず、また室内の離れた位置からもリモコンによる遠隔操作を行うことができ、利便性の向上を図ることができる。しかも、受光部の受光方向は２方向にのみ変更可能なものであるため、その変更可能にするための構成をも比較的簡単なものとすることができ、実施化を容易に図ることができる。
【００１４】
特に、請求項２に係る発明では、モータが巻き取りパイプ内に配置され、かつリミットケースを介してサイドブラケットに支持されているため、モータをサイドブラケットに取り付けるものと比べてサイドブラケットの厚みを小さくすることができ、その分設置スペースの狭小化ひいては汎用性の向上に寄与することができる。
【００１５】
請求項３に係る発明では、サイドブラケットの外側面に取り付けたブラケットカバーに受光部ホルダが回動可能に装着され、この受光部ホルダに保持された受光部が、その受光方向の変更に拘わらず、常にブラケットカバー下端の透明な円弧状受光面を通してリモコンからのパルス信号を受光するようになっているため、受光部をブラケットカバーによって保護することができる上、受光部の受光方向の変更により受光感度が変化するのを防止することができ、信頼性の向上を図ることができる。
【００１６】
請求項４に係る発明では、ブラケットカバーの嵌合孔を通して外部に臨む受光部ホルダの一側面に設けた嵌合溝にドライバーなどを挿入して受光部ホルダを回動操作するだけで受光部の受光方向を容易に変更することができるので、設置作業の簡易化に寄与することができる。
【００１７】
さらに、請求項５に係る発明では、ブラケットカバーの嵌合孔に嵌合装着された受光部ホルダを回動操作して受光部の受光方向を変更するときには、受光部ホルダ側の挟持部の第１の挟持片と第２の挟持片とでブラケットカバー側の突起部が挟持されて受光部の受光方向が保持されるため、受光部の受光方向の変更操作を容易にかつ確実に行うことができ、実施化を図る上で非常に有効なものである。
【発明を実施するための最良の形態】
【００１８】
以下、本発明を実施するための最良の形態である実施形態を図面に基づいて説明する。
【００１９】
図１は本発明の一実施形態に係るリモコン受光構造を装備するブラインド用電動ロールスクリーンの全体構成を示す。この電動ロールスクリーンＡは、建屋の窓の上縁に沿って配置される巻き取りパイプ１を備えており、この巻き取りパイプ１の両端は、それぞれ左右のサイドブラケット２Ｌ，２Ｒにより回転自在に支持されている。各サイドブラケット２Ｌ，２Ｒの上端は、建屋の天井又は側壁に取り付けた取付フレーム３に連結されており、この取付フレーム３の内側には制御盤４が取り付けられている。尚、図１ではサイドブラケット２Ｌ，２Ｒが外部に露見した状態で表示しているが、実際はサイドブラケット２Ｌ，２Ｒの外側面はそれぞれブラケットカバー２５（右側のサイドブラケット２Ｒの場合図２参照）により覆われている。
【００２０】
上記巻き取りパイプ１内には、図中右側のサイドブラケット２Ｒ寄りの位置に巻き取りパイプ１を回転駆動するモータ５が配置されているとともに、図中左側のサイドブラケット２Ｌ寄りの位置にコイルスプリングなどからなるバランサー６が配置されている。また、巻き取りパイプ１には、横幅が巻き取りパイプ１の長さよりも若干小さいブラインド用の生地からなるスクリーン７の上端が固定されており、このスクリーン７の下端にはウエイトバー８が取り付けられている。そして、上記モータ５により巻き取りパイプ１を正逆方向に回転させて上記スクリーン７の巻き上げ又は巻き下げを行い、また、スクリーン７の巻き下げ量に応じてバランサー６が作用してモータ５の負荷がスクリーン７の巻き下げ量に拘わらず略一定になるように構成されている。
【００２１】
上記モータ５は、図２に拡大詳示するように、リミットケース１１を介して右側のサイドブラケット２Ｒに支持されており、上記リミットケース１１の外周面には巻き取りパイプ１の一端が回転自在に支持されている。また、モータ５の出力側には減速機１２が連接され、この減速機１２から出力軸１３が延出しており、この出力軸１３は、駆動輪１４を介して巻き取りパイプ１に連結されている。
【００２２】
上記リミットケース１１は、図３及び図４にも示すように有底円筒状のものであり、その底面１１ａに形成した３つのネジ挿入孔１６，１６，１６にそれぞれネジ１７を通してモータ５と結合されている。リミットケース１１の開口縁にはフランジ部１８が形成されており、このフランジ部１８は、上部側に位置する厚みの厚い高段部１８ａと、下部側に位置する厚みの薄い低段部１８ｂとからなる。そして、フランジ部１８の高段部１８ａがサイドブラケット２Ｒの内面に接触した状態で上段部１８ａの３個所に設けたネジ穴１９，１９，１９にそれぞれサイドブラケット２Ｒの外側からネジ２１をねじ込むことにより、リミットケース１１とサイドブラケット２Ｒとが結合される。フランジ部１８の高段部１８ａには、３個所のネジ穴１９，１９，１９の間に位置する２個所にそれぞれネジ穴２２を有するボス部２３が上段部１８ａの他の部位よりも突出して形成されており、このボス部２３は、リミットケース１１とサイドブラケット２Ｒとを結合するときサイドブラケット２Ｒに設けた小孔（図示せず）に嵌合するようになっている。また、フランジ部１８の高段部１８ａの両端には、後述する受光部カバー３５を保持するための保持溝２４、２４が設けられている。尚、リミットケース１１内には、図示していないが、モータ５の回転を検出するエンコーダなどのモータ回転検出装置が収納される。
【００２３】
上記右側のサイドブラケット２Ｒには、図５にも示すように、その外側面を覆う合成樹脂製のブラケットカバー２５がネジ２６止めにより取り付けられており、ネジ２６止めの個所は、ブラケットカバー２５の上部ではブラケットカバー２５とサイドブラケット２Ｒとが直接接触する部位であるが、ブラケットカバー２５の下部では上記リミットケース１１のフランジ部１８のボス部２３に対応する部位に設定されている。このブラケットカバー２５の下端部には、リモコンから発射される赤外線などのパルス信号を受光する受光センサなどからなる受光部２７が受光部ホルダ２８及びホルダサポート２９を介して取り付けられており、この受光部２７は、その受光方向が鉛直下方を挟んで対称でかつ位相が互いに所定角度、例えば９０度程度異なる２方向に変更可能に設けられている。
【００２４】
上記ブラケットカバー２５は、図６ないし図８に詳示するように、全体が縦長矩形状でかつ下端部が半円形状のものであり、その周縁部には下縁を除き内側に突出するフランジ部２５ａが形成されている。このブラケットカバー２５の下端部にはその半円形の中心に円形状の嵌合孔３１が設けられているとともに、ブラケットカバー２５の内面には、嵌合孔３１を挟む左右両側にフランジ部２５ａよりも突出量の小さい一対の膨出台部３２，３２と、嵌合孔３１の真下位置にフランジ部２５ａよりも突出量の大きい突出片部３３とが一体に形成されている。上記各膨出台部３２は、嵌合孔３１の近傍からブラケットカバー２５周縁のフランジ部２５ａにまで延びており、この各膨出台部３２の内端部には突起部３４が設けられている。この突起部３４は、嵌合孔３１を挟んだ左右２個所にそれぞれ設けられており、各突起部３４の上側側縁３４ａは円弧状に丸みをもって形成され、各突起部３４の下側側縁３４ａは円弧状の切り欠きを構成するようになっている。また、各膨出部３２の外端部には上記リミットケース１１の保持溝２４と同一形状で受光部カバー３５を保持するための保持溝４０が形成されている。そして、ブラケットカバー２５の下端部の周縁（つまり下縁）には透明な円弧状の受光面を構成する合成樹脂製の受光部カバー３５がその両端に設けたフック部３５ａ，３５ａをそれぞれブラケットカバー２５の対応する保持溝４０に係合させて装着されており、受光部カバー３５の各フック部３５ａは、リミットケース１１の対応する保持溝２４にも係合するようになっている。上記受光部２７は、２方向のいずれの切換位置でもこの受光部カバー３５を通して、リモコンからのパルス信号を受光するようになっている。
【００２５】
上記ホルダサポート２９は、図９ないし図１１に詳示するように、サイドブラケット２Ｒの内面に接触するイチョウの葉形状の平板部２９ａと、この平板部２９ａの周縁などに設けられ、一部がリミットケース１１のフランジ部１８の高段部１８ａ内面に接触するフランジ部２９ｂと、平板部２９ａの下部に形成された半円筒状のサポート部２９ｃとを有してなる。このホルダサポート２９は、サイドブラケット２Ｒとリミットケース１１との間に挟持されており、ホルダサポート２９のサポート部２９に、受光部２７を保持する受光部ホルダ２８が受光部カバー３５の中心点を回動中心として回動可能に装着されている。
【００２６】
一方、上記受光部ホルダ２８は、図１２ないし図１５に詳示するように、円盤状の操作面部２８ａと、この操作面部２８ａの裏面側に互いに所定寸法を隔てて対向するように形成された一対の保持部２８ｂ，２８ｂとからなり、一対の保持部２８ｂ，２８ｂ間に受光部２７を挟んで保持するようになっている。この受光部ホルダ２８の操作面部２８ａは、中央部２８ｃが周縁部２８ｄよりも突出した同心の段差状に形成されており、受光部ホルダ２８は、その操作面部２８ａの中央部２８ｃがブラケットカバー２５の嵌合孔３１を通して外部に臨んだ状態でブラケットカバー２５とホルダサポート２９との間に回動可能に保持されている。受光部ホルダ２８の操作面部２８ａには中央部２８ｃの中心線上に受光部ホルダ２８を回動操作するための操作溝３６が設けられているとともに、受光部ホルダ２８の操作面部２８ａの周縁部２８ｄには、上記ブラケットカバー２５の各突起部３４に対応して、中央部２８ｃの中心線を挟んだ左右両側に1つずつ計２つの挟持部３７，３７が半径方向外向きに突出して形成されている。この各挟持部３７は、図１６及び図１７に拡大詳示するように、周囲にＵ字状の切り欠き溝３８を形成することで半径方向に可撓性を有する第１の挟持片３７ａと、この第１の挟持片３７ａよりも中央部２８ｃ中心線寄りに位置する可撓性のない第２の挟持片３７ｂとからなる。そして、受光部ホルダ２８を回動操作して受光部２７の受光方向を変更するとき、一方の挟持部３７で始めに第１の挟持片３７ａがブラケットカバー２５の対応する突起部３４に接触して半径方向内側に撓んで突起部３４の相対回動変位を許容し、次に第２の挟持片３７ｂがこの突起部３４に接触して突起部３４の相対回動変位を規制すると同時に、第１の挟持片３７ａと第２の挟持片３７ｂとにより突起部３４を挟持して受光部２７の受光方向を保持するように構成されている（図５参照）。
【００２７】
従って、上記ブラインド用電動ロールスクリーンＡにおいては、巻き取りパイプ１を支持する一方のサイドブラケット２Ｒに取り付けた受光部２７が、その受光方向を鉛直下方を挟んで互いに所定角度異なる２方向に変更可能に設けられているため、室内のレイアウトなどとの関係で電動ロールスクリーンＡを通常の状態と左右反対に設置する場合でも、受光部２７の受光方向を変更して通常の状態と同様に室内側に向けることができ、電動ロールスクリーンＡの設置形態に拘わらず、また室内の離れた位置からもリモコンによる遠隔操作を行うことができ、利便性を高めることができる。
【００２８】
しかも、上記受光部２７の受光方向は、２方向にのみ変更可能なものであるため、その変更可能にするための構成をも比較的簡単なものとすることができ、実施化を容易に図ることができる。
【００２９】
特に、本実施形態の場合、モータ５が巻き取りパイプ１内に配置され、かつリミットケース１１を介してサイドブラケット２Ｒに支持されているため、モータ５をサイドブラケット２Ｒに取り付けるものと比べて、ブラケットカバー２５を含むサイドブラケット２Ｒ付近の厚み寸法を小さくすることができ、その分設置スペースの狭小化ひいては汎用性の向上に寄与することができる。
【００３０】
また、サイドブラケット２Ｒの外側面に取り付けたブラケットカバー２５に受光部ホルダ２８が回動可能に装着され、この受光部ホルダ２８に保持された受光部２７が、その受光方向の変更に拘わらず、常にブラケットカバー２５の下端に装着した透明な円弧状の受光部カバー３５を通してリモコンからのパルス信号を受光するようになっているため、受光部２７を受光部カバー３５によって保護することができる。また、受光部２７の受光方向の変更により受光感度が変化することはなく、信頼性の向上を図ることができる。
【００３１】
その上、上記受光部２７の受光方向を変更するときには、ブラケットカバー２５の嵌合孔３１を通して外部に臨む受光部ホルダ２８の操作面部２８ａの中央部２８ｃに設けた嵌合溝３６に対し、例えばドライバーなどを挿入して回動操作することにより、受光部２７の受光方向を容易に変更することができるので、設置作業の簡易化に寄与することができる。
【００３２】
さらに、上記受光部ホルダ２８を回動操作して受光部２７の受光方向を変更するときには、図５に見て受光方向を、鉛直下方を挟む左右いずれの方向に変更するときでも常に、受光部ホルダ２８側の挟持部３７の第１の挟持片３７ａと第２の挟持片３７ｂとでブラケットカバー２５側の突起部３４が挟持されて受光部２７の受光方向が保持されるため、受光部２７の受光方向の変更操作を容易にかつ確実に行うことができる。
【００３３】
尚、本発明は上記実施形態に限定されるものではなく、その他種々の形態を包含するものである。例えば上記実施形態では、巻き取りパイプ１内にモータ５を配置し、このモータ５をリミットケース１１を介してサイドブラケット２Ｒに支持するように構成したが、本発明は、これに限らず、モータを巻き取りパイプ１外の例えばサイドブラケット２Ｌ，２Ｒのいずれか一方に取り付けるように構成してもよい。
【００３４】
また、上記実施形態では、サイドブラケット２Ｒにその外側面を覆うブラケットカバー２５などを介して受光部２７を間接的に取り付けるように構成したが、本発明は、サイドブラケット２Ｒに受光部２７を直接取り付けるように構成してもよいのは勿論である。
【図面の簡単な説明】
【００３５】
【図１】本発明の実施形態に係るブラインド用電動ロールスクリーンの全体構成図である。
【図２】上記電動ロールスクリーンのリモコン受光構造を示す縦断側面図である。
【図３】リミットケースのモータ取付面側から見た背面図である。
【図４】リミットケースのサイドブラケット取付面側から見た正面図である。
【図５】図２のＸ方向から一部を切開して見た拡大矢視図である。
【図６】ブラケットカバーの内面側から見た背面図である。
【図７】図６のＹ−Ｙ線における断面図である。
【図８】図６の嵌合孔付近の拡大図である。
【図９】ホルダサポートの正面図である。
【図１０】同背面図である。
【図１１】図１０のＭ−Ｍ線における断面図である。
【図１２】受光部ホルダの正面図である。
【図１３】同背面図である。
【図１４】同平面図である。
【図１５】図１２のＮ−Ｎ線における断面図である。
【図１６】図１２のＯ付近の拡大図である。
【図１７】図１２のＰ−Ｐ線における拡大断面図である。
【符号の説明】
【００３６】
Ａ    ブラインド用電動ロールスクリーン
１    巻き取りパイプ
２Ｌ，２Ｒ    サイドブラケット
５    モータ
７    スクリーン
８    ウエイトバー
１１    リミットケース
２５    ブラケットカバー
２７    受光部
２８    受光部ホルダ
２８ａ  操作面部
３１    嵌合孔
３４    突起部
３５    受光部カバー（受光面）
３６    操作溝
３７    挟持部
３７ａ  第１の挟持片
３７ｂ  第２の挟持片
【図１】
2008150901.tif 000003
【図２】
2008150901.tif 000004
【図３】
2008150901.tif 000005
【図４】
2008150901.tif 000006
【図５】
2008150901.tif 000007
【図６】
2008150901.tif 000008
【図７】
2008150901.tif 000009
【図８】
2008150901.tif 000010
【図９】
2008150901.tif 000011
【図１０】
2008150901.tif 000012
【図１１】
2008150901.tif 000013
【図１２】
2008150901.tif 000014
【図１３】
2008150901.tif 000015
【図１４】
2008150901.tif 000016
【図１５】
2008150901.tif 000017
【図１６】
2008150901.tif 000018
【図１７】
2008150901.tif 000019